(57)【要約】【課題】看護記録についての情報を電子化して管理することで、医療業務の効率化を図り、加えて、その運用を容易にする医療業務支援システムを提供する。【解決手段】医療業務支援システムは、医療情報ＤＢを管理するサーバ１と、サーバ１とネットワークＮを介して接続する携帯端末２と、を備える。携帯端末２は、本体部２０と、電子ペン２１と、を備える。本体部２０は、動作モードとして、手書き入力モードと、データ送信モードと、を有し、手書き入力モードでは、看護師による電子ペン２１を使用した手書き動作による情報の入力を受け付け、受け付けた情報を載置した記録用シートＳ（電子ペーパ）に表示する。また、データ送信モードでは、受け付けた情報をサーバ１に送信する。サーバ１は、携帯端末２の本体部２０から送信された情報に基づいて、医療情報ＤＢを更新する。【選択図】図１
2010015211.tif 000002
【特許請求の範囲】
【請求項１】
医療情報データベースを管理するサーバと、該サーバと所定のネットワークを介して接続する携帯端末と、を備える医療業務支援システムであって、
前記携帯端末は、端末本体部と、電子ペンと、を備え、
前記端末本体部は、
動作モードとして、手書き入力モードと、データ送信モードと、を有し、
前記手書き入力モードでは、ユーザによる前記電子ペンを使用した手書き動作による情報の入力を受け付け、受け付けた情報をセットした電子ペーパに表示し、
前記データ送信モードでは、前記受け付けた情報を前記サーバに送信し、
前記サーバは、前記端末本体部から送信された前記情報に基づいて、前記医療情報データベースを更新する、
ことを特徴とする医療業務支援システム。
【請求項２】
前記電子ペーパは、看護記録業務の際の記録簿として使用される、
ことを特徴とする請求項１に記載の医療業務支援システム。
【請求項３】
前記ユーザの手書き動作による情報が、入院患者の経過状況である、
ことを特徴とする請求項２に記載の医療業務支援システム。
【請求項４】
前記サーバは、業務情報をさらに管理し、
前記端末本体部は、
動作モードとして、データ受信モードをさらに有し、
該データ受信モードでは、業務情報を要求するコマンドデータを前記サーバに送信し、受信した前記サーバからの業務情報を前記電子ペーパに表示し、
前記サーバは、前記端末本体部から送信された前記コマンドデータに応答して、当該端末本体部に前記業務情報を送信する、
ことを特徴とする請求項１に記載の医療業務支援システム。
【請求項５】
前記電子ペーパの表面には、個々を識別するために割り振られた識別情報が付されている、
ことを特徴とする請求項１に記載の医療業務支援システム。
【請求項６】
前記電子ペーパは、電子インク層を透明電極と白色フィルムとで挟み込んだ態様で構成される、
ことを特徴とする請求項１に記載の医療業務支援システム。
【請求項７】
前記電子ペーパの表示方式は、マイクロカプセル型電気泳動方式である、
ことを特徴とする請求項１に記載の医療業務支援システム。
【発明の詳細な説明】
【技術分野】
【０００１】
本発明は、医療業務支援システムに関し、特に、患者の状態を可視的に記録する媒体として電子ペーパを利用した医療業務支援システムに関する。
【背景技術】
【０００２】
近年、病院等の医療現場では、いわゆる電子カルテ等、医療情報を電子化することで、業務の効率化や医療過誤の防止を図る取り組みが進められている。
【０００３】
例えば、特許文献１には、医療業務支援サーバと、医療従事者（医師、看護師等）が利用する医療業務支援端末（例えば、パーソナルコンピュータ、携帯情報端末等）とが、ネットワークを介して接続された医療業務支援システムが提案されている。この医療業務支援システムでは、医療従事者は、医療業務支援端末を介して、医療情報等を管理する医療業務支援サーバから必要な情報を取得し、また、医療業務支援サーバに情報を入力することができる。
【特許文献１】特開２００７−５８７１５号公報
【発明の開示】
【発明が解決しようとする課題】
【０００４】
ところで、病院等では、看護記録業務、即ち、病室を回って、個々の入院患者について、脈拍、血圧、体温等のバイタルサイン、食事の摂取量や身体の状態についての問診結果等の経過状況を記録簿に記載する業務は、入院患者を担当する看護師にとって、主要な業務の一つといえる。
【０００５】
看護記録業務において、一般的には、看護師は、各入院患者に対応した記録簿（記録用シート）を携帯し、個々の患者の経過状況を鉛筆、ボールペン等を使って、対応する記録用シートに手書きで記入する。これらの記録用シートは、一定期間（例えば、１日）経過すると、患者別のファイルブック等に綴じられて（ファイルされて）、管理される。
【０００６】
この看護記録業務について、特許文献１に開示される医療業務支援システムを導入すると、看護師は、１台の医療業務支援端末を携行するだけで個々の患者の経過状況を入力でき、また、入力した経過状況を医療業務支援サーバに直ちに送信することもできる。
【０００７】
しかしながら、上記の医療業務支援システムによる看護記録業務は、従来の記録用シートを用いた看護記録業務のやり方と著しく変化するため、上記システムに依る看護記録業務への移行は、決して容易とはいえない。例えば、経過状況の記入作業に関していえば、手書きの場合と携帯端末を使用した場合とで、効率性の差異があまり見受けられないところ、現行の手書き記入に慣れている看護師にとっては、携帯端末の操作を不便に感じ、かえって業務に支障を来す懸念もある。
【０００８】
本発明は、上記実状に鑑みてなされたものであり、看護記録についての情報を電子化して管理することで、医療業務の効率化を図り、加えて、その運用を容易にする医療業務支援システムを提供することを目的とする。
【課題を解決するための手段】
【０００９】
本発明に係る医療業務支援システムは、
医療情報データベースを管理するサーバと、該サーバと所定のネットワークを介して接続する携帯端末と、を備える医療業務支援システムであって、
前記携帯端末は、端末本体部と、電子ペンと、を備え、
前記端末本体部は、
動作モードとして、手書き入力モードと、データ送信モードと、を有し、
前記手書き入力モードでは、ユーザによる前記電子ペンを使用した手書き動作による情報の入力を受け付け、受け付けた情報をセットした電子ペーパに表示し、
前記データ送信モードでは、前記受け付けた情報を前記サーバに送信し、
前記サーバは、前記端末本体部から送信された前記情報に基づいて、前記医療情報データベースを更新する、ことを特徴とする。
【００１０】
前記電子ペーパは、看護記録業務の際の記録簿として使用されるのが好ましい。
【００１１】
上記の場合、前記ユーザの手書き動作による情報が、入院患者の経過状況であるのが好ましい。
【００１２】
また、前記サーバは、業務情報をさらに管理し、
前記端末本体部は、
動作モードとして、データ受信モードをさらに有し、
該データ受信モードでは、業務情報を要求するコマンドデータを前記サーバに送信し、受信した前記サーバからの業務情報を前記電子ペーパに表示し、
前記サーバは、前記端末本体部から送信された前記コマンドデータに応答して、当該端末本体部に前記業務情報を送信する、構成にしてもよい。
【００１３】
また、前記電子ペーパの表面には、個々を識別するために割り振られた識別情報が付されていてもよい。
【００１４】
前記電子ペーパの構成例として、電子インク層を透明電極と白色フィルムとで挟み込んだ態様が挙げられる。
【００１５】
また、好ましくは、前記電子ペーパの表示方式は、マイクロカプセル型電気泳動方式である。
【発明の効果】
【００１６】
以上の如く、本発明によれば、看護記録についての情報を電子化して管理できるので、医療業務の効率向上が期待できる。また、導入後、スムーズに運用することが可能となる。
【発明を実施するための最良の形態】
【００１７】
以下、本発明に係る医療業務支援システムの一実施形態について図面を参照して説明する。
【００１８】
本実施形態に係る医療業務支援システムは、病院に導入され、図１に示すように、サーバ１と、携帯端末２と、ステーション端末３と、医師用端末４と、生体情報測定装置５と、ネットワークＮと、から構成される。
【００１９】
サーバ１は、医療情報をデータベース化（医療情報ＤＢ）して記憶し、管理するワークステーション等のコンピュータであり、イントラネット等のネットワークＮに接続する。医療情報とは、当該病院を利用する患者の個人情報（氏名、年齢、国籍、住所、現在の病状、過去の病歴、家族構成、家族の病歴、宗教等）と、治療情報（入院経過状況、処置情報等）とを含む情報である。また、サーバ１は、医療情報ＤＢのほか、当該病院における業務一般に関する情報（業務情報）も記憶する。
【００２０】
携帯端末２は、本体部２０と、電子ペン２１とから構成され、看護師が電子ペン２１を用いて描いた文字（手書き文字）等の入力を受け付け、受け付けた文字等の情報を本体部２０に載置した記録用シートＳに表示する。また、本体部２０は、アクセスポイントＡＰを介してネットワークＮに接続し、サーバ１とデータの送受を行う機能も有し、サーバ１から取得した情報等も記録用シートＳに表示する。アクセスポイントＡＰは、携帯端末２とネットワークＮ間のデータの中継を行う通信機器である。アクセスポイントＡＰは、当該病院の複数の場所、例えば、各病棟の各階の所定地点や各病室の所定地点に設置される。携帯端末２及び記録用シートＳの詳細については後述する。
【００２１】
ステーション端末３は、詳細は後述するが、ネットワークＮに接続し、サーバ１から得た情報をセットした記録用シートＳに表示させる装置である。ステーション端末３は、当該病院内の所定の場所（例えば、ナースステーション等）に設置される。
【００２２】
医師用端末４は、パーソナルコンピュータ等の汎用の情報処理装置であり、ネットワークＮに接続する。医師用端末４は、例えば、当該病院の各診察室に設置され、医師によって使用される。例えば、医師は、医師用端末４にサーバ１から取得した特定の患者の医療情報を表示させることができ、また、診察した患者の処置情報や問診結果等を入力し、入力したこれらの情報をサーバ１に送信させることもできる。
【００２３】
生体情報測定装置５は、患者のベッド近傍に設置され、患者のバイタルサインの測定を行う。生体情報測定装置５は、患者の身体に取り付けられた図示しない各種のバイタルサイン測定器（体温測定器、血圧測定器、脈拍測定器等）と接続し、所定時間毎に、これらの測定結果を取得して、図示しないモニタ画面に表示する。また、生体情報測定装置５は、所定のタイミングで、アクセスポイントＡＰを介してネットワークＮに接続し、測定した患者のバイタルサイン（バイタルサインデータ）をサーバ１に送信する。サーバ１は、生体情報測定装置５から送信されたバイタルサインデータの内容に基づいて、当該患者の医療情報（治療情報）を更新する。
【００２４】
記録用シートＳは、いわゆる電子ペーパ（ＰＬＤ（ペーパライクディスプレイ）とも呼ばれる）であり、本実施形態では、反射率が高く、消費電力が低いという特徴を有するマイクロカプセル型電気泳動方式による電子ペーパを採用する。図２は、本実施形態の記録用シートＳの断面図である。図２に示すように、記録用シートＳは、電子インク層１０を透明電極１１と白色フィルム１２とで挟み込んだ構成となっている。
【００２５】
電子インク層１０は、複数のマイクロカプセル１００を有し、個々のマイクロカプセル１００には、帯電した白と黒の顔料粒子が封入されている。本実施形態では、白色粒子１０１は、プラスに帯電し、黒色粒子１０２は、マイナスに帯電している。このため、透明電極１１側がプラス、白色フィルム１２側の特定領域がマイナスとなるような電圧を印加すると、記録用シートＳの当該特定領域に対応する部分において、マイクロカプセル１００内の黒色粒子１０２が、透明電極１１側に移動する。その結果、記録用シートＳの表示面（図２の矢印方向から視た面）の該当領域は、黒色表示されることになる。
【００２６】
したがって、様々な電界パターンに基づいて、記録用シートＳの透明電極１１と白色フィルム１２との間に電圧を印加することで、所望の文字等を記録用シートＳの表示面に表示させることが可能となる。また、上記と逆方向の電圧、つまり、透明電極１１側がマイナス、白色フィルム１２側の特定領域がプラスとなるような電圧を印加することで、黒色粒子１０２を白色フィルム１２側に移動させ、表示されている文字等を消去させる（即ち、白色表示させる）ことも可能となる。
【００２７】
続いて、携帯端末２について説明する。携帯端末２の本体部２０は、図３に示すように、いわゆるバインダ状の外観を有する。本体部２０の記録用シートＳを載置する側の面（上面側）の一端部には、載置した記録用シートＳを挟持し固定するための留部２００が設けられている。留部２００は、本体部２０に固定されたジョイント部２０１と、ジョイント部２０１に回動可能に取り付けられた可動片２０２とを備える。可動片２０２は、ジョイント部２０１が備える図示しないねじりコイルばね等の付勢部材により載置面の方向に付勢され、これにより、載置された記録用シートＳは挟持され固定される。可動片２０２には、記録用シートＳを挟持する際、あるいは、挟持を解除する際に、ユーザ（即ち、看護師）が容易に可動片２０２を回動させ得るように、その一部が上方に向かって弧状に曲げられた、つまみ部２０３が設けられている。
【００２８】
また、留部２００は、記録用シートＳの挟持時において、透明電極１１と電気的に接続され、記録用シートＳの透明電極１１と白色フィルム１２との間に電圧を印加する際の導電手段としても機能する。
【００２９】
また、本体部２０の載置面には、看護師が記録用シートＳを載置面上に正確に載置できるようにするための位置決め用のマーク２０４が設けられている。
【００３０】
本体部２０は、図４に示すように、その内部に電源回路２１０と、制御回路２２０と、マトリクス電極部２３０と、センサボード２４０と、を備える。マトリクス電極部２３０は、記録用シートＳの載置面に対応する領域にマトリクス状に配置された複数の要素電極２３１を備える。電源回路２１０は、制御回路２２０が作成した電界パターンに従って、留部２００とマトリクス電極部２３０の選択した要素電極２３１との間に所定の電圧を印可する。
【００３１】
センサボード２４０は、センサボード２４０上、即ち、本体部２０の載置面上の電子ペン２１の位置座標を検出する。その手法は公知であり、以下、簡単に説明する。センサボード２４０には、その縦横方向に複数のループコイル（図示せず）が配置されている。制御回路２２０は、送信モード時において、複数のループコイルの中から一のループコイルを選択し、ループコイル交流電流を供給する。そうすると、当該ループコイルから磁界が発生する。
【００３２】
一方、電子ペン２１は、図５に示すように、ＩＣ２３と、共振回路２４とを備え、ループコイルから発生した磁界の中を通過すると、共振回路２４に誘導電流が流れ、ＩＣ２３が起動する。ＩＣ２３は、起動すると、所定の信号を共振回路２４に供給する。すると、かかる信号に対応する電流が共振回路２４に流れ、共振回路２４の周囲に磁界が発生する。
【００３３】
制御回路２２０は、送信モードと受信モードとを所定時間毎に交互に切り替える。受信モード時において、制御回路２２０は、センサボード２４０の一のループコイルを選択する。かかるループコイルには、電子ペン２１の共振回路２４より発生した磁界により、誘起電流が流れる。制御回路２２０は、かかる誘起電流を増幅し、その所定周波数帯域の成分のみを電圧変換し、そして、Ａ／Ｄ変換等を行うことで、デジタルデータを取得する。
【００３４】
制御回路２２０は、ループコイルを順次選択して、上記処理を繰り返し行って、電子ペン２１の位置座標を特定する。
【００３５】
図６は、制御回路２２０の内部構成を示すブロック図である。制御回路２２０は、ＣＰＵ２２１と、センサボード制御回路２２２と、シート制御回路２２３と、無線通信部２２４と、画像メモリ２２５と、ＲＯＭ２２６と、を備える。センサボード制御回路２２２は、電子ペン２１の位置座標を取得するため、ＣＰＵ２２１の指令に基づいて、センサボード２４０の制御を行う。シート制御回路２２３は、ＣＰＵ２２１が作成した、記録用シートＳの表示面に黒色を表示させ、あるいは、表示されている黒色を消去させるための電界パターンに基づいて、電源回路２１０を制御する。
【００３６】
無線通信部２２４は、ネットワークＮに接続し、サーバ１とデータの送受を行うための通信機器（例えば、無線ＬＡＮカード等）である。画像メモリ２２５は、フラッシュメモリ等の半導体メモリであり、サーバ１から取得したデータや、看護師によって手書き入力された情報に関するデータ等を記憶する。ＲＯＭ２２６は、ＣＰＵ２２１が実行するプログラムや制御用の各種データテーブル等を記憶する。
【００３７】
続いて、ステーション端末３について説明する。図７に示すように、ステーション端末３の外観は、扁平な直方体形状であり、その上面に記録用シートＳを載置するための載置面を備える。ステーション端末３には、携帯端末２の本体部２０と同様、記録用シートＳを挟持し固定するための留部３００、位置決め用のマーク３０１が設けられている。また、患者の診察カードＣを挿入するためのカード挿入口３０２が設けられている。
【００３８】
図８に示すように、ステーション端末３は、その内部に電源回路３１０と、制御回路３２０と、マトリクス電極部３３０と、カードリーダ３４０と、を備える。マトリクス電極部３３０は、携帯端末２のマトリクス電極部２３０と同様、記録用シートＳの載置面に対応する領域にマトリクス状に配置された複数の要素電極３３１を有する。電源回路３１０は、制御回路３２０が作成した電界パターンに従って、留部３００とマトリクス電極部３３０の選択した要素電極３３１との間に所定の電圧を印可する。
【００３９】
カードリーダ３４０は、カード挿入口３０２に挿入された診察カードＣから所定の情報（患者の識別情報等）を読み取り、読み取った情報を制御回路３２０に出力する。
【００４０】
図９は、制御回路３２０の内部構成を示すブロック図である。制御回路３２０は、ＣＰＵ３２１と、シート制御回路３２２と、通信部３２３と、画像メモリ３２４と、ＲＯＭ３２５と、Ｉ／Ｆ部３２６と、を備える。シート制御回路３２２は、携帯端末２のシート制御回路２２３と同様の機能を有し、ＣＰＵ３２１が作成した電界パターンに基づいて、電源回路３１０を制御する。
【００４１】
通信部３２３は、ネットワークＮに接続し、サーバ１とデータの送受を行うための通信機器（例えば、ＬＡＮカード等）である。画像メモリ３２４は、フラッシュメモリ等の半導体メモリであり、サーバ１から取得したデータ等を記憶する。ＲＯＭ３２５は、ＣＰＵ３２１が実行するプログラムや制御用の各種データテーブル等を記憶する。Ｉ／Ｆ部３２６は、カードリーダ３４０とのＩ／Ｆ処理を行い、カードリーダ３４０が読み取った情報を取得する。
【００４２】
図１０は、ステーション端末３の動作を説明するためのフローチャートである。看護師は、看護記録のための巡回を開始する際、空きの記録用シートＳをステーション端末３にセットし（即ち、載置面に載置して、留部３００で固定し）、看護記録対象となる患者の診察カードＣをカード挿入口３０２に挿入する。ここで、空きの記録用シートＳとは、自由に使用できる記録シートＳを意味し、以前の情報の表示有無は問わない。
【００４３】
診察カードＣが挿入されると、カードリーダ３４０は、診察カードＣの情報を読み取り、読み取った情報を制御回路３２０に出力する（ステップＳ１０１）。すると、制御回路３２０は、所定の電界パターンを作成し、電源回路３１０を制御して、図１１に示すような記録用シート番号入力画面を記録用シートＳに表示する（ステップＳ１０２）。記録用シート番号とは、個々の記録用シートＳに割り振られた固有の番号であり、記録用シートＳの所定位置（例えば、図１１に示すように表示面の右下隅等）に印刷等されている。
【００４４】
看護師は、図１１に示す記録用シート番号入力画面において、ＧＵＩボタンである数値ボタン１１０２を電子ペンでタッチすることで、入力フィールド１１０１に記録用シート番号を入力することができる。看護師により、記録用シート番号が入力されると（ステップＳ１０３でＹＥＳ）、制御回路３２０は、当該診察カードＣに対応する患者の看護記録情報を要求するコマンドデータをサーバ１に送信する（ステップＳ１０４）。このコマンドデータには、診察カードＣから読み取った患者の識別情報、当該記録用シートＳの番号等が含まれる。
【００４５】
サーバ１は、ステーション端末３から送信されたコマンドデータを受信すると、当該コマンドデータに含まれる患者の識別情報をキーにして医療情報ＤＢを検索し、当該患者の医療情報を取得する（ステップＳ１０５）。そして、取得した医療情報から所定の情報を抽出し、看護記録情報を作成して、ステーション端末３に送信する（ステップＳ１０６）。ここでの看護記録情報には、患者の氏名、性別、年齢、病名、国籍等からなる個人情報と、バイタルサイン（体温、血圧、脈拍等）の最新測定値と、食事種別や処方等の処置情報等が含まれる。また、サーバ１は、患者の識別情報と記録用シートＳの番号との対応付けを行う。この対応付けは、所定時刻（例えば、午前８時等）に解除される。
【００４６】
制御回路３２０は、サーバ１からの看護記録情報を受信すると、電源回路３１０を制御して、記録用シートＳに表示している記録用シート番号入力画面をクリア（消去）し（ステップＳ１０７）、受信した看護記録情報に基づいて、表示する画像データを作成する（ステップＳ１０８）。この際、制御回路３２０は、ステーション端末３が備える内部タイマ（図示せず）から得た現在日時を含めて画像データを作成する。なお、現在日時は、サーバ１から取得してもよい（この場合、サーバ１は、送信する看護記録情報に現在日時を格納する）。
【００４７】
制御回路３２０は、作成した画像データに基づいて、電界パターンを作成し（ステップＳ１０９）、電源回路３１０を制御して、作成した電界パターンに従った電圧を当該記録用シートＳに印加する（ステップＳ１１０）。これにより、図１２に示すような画像が、記録用シートＳに表示される。
【００４８】
看護師は、ステーション端末３を使用して、上記の如く巡回開示時における看護記録情報が表示された看護記録シートＳを、自分が担当する全ての入院患者分準備し、それらと携帯端末２を携行して、各病室を巡回する。
【００４９】
続いて、携帯端末２の動作について説明する。本実施形態の携帯端末２は、大別すると、手書き入力モード、データ送信モード及びデータ受信モードの３種類の動作モードを有する。看護師は、記録用シートＳに表示される図示しない複数の操作ボタン（ＧＵＩボタン）を電子ペン２１でタッチすることで、所望のモードに適宜切り替えることが可能である。
【００５０】
図１３は、携帯端末２が手書き入力モードで実行する手書き入力処理の手順を示すフローチャートである。携帯端末２の本体部２０にセットされた、問診しようとする患者に対応する記録用シートＳ上で、看護師が電子ペン２１を使用して手書き動作を開始すると、制御回路２２０は、センサボード２４０を用いて電子ペン２１の位置座標を取得する（ステップＳ２０１）。制御回路２２０は、取得した電子ペン２１の位置座標に応じた電界パターンを作成する（ステップＳ２０２）。そして、制御回路２２０は、電源回路２１０を制御して、作成した電界パターンに従った電圧を記録用シートＳに印加し（ステップＳ２０３）、記録用シートＳの表示面の対応する領域に黒色を表示する。
【００５１】
以上の処理を繰り返すことで、図１４に示すように、看護師の手書き動作に応じた文字等が記録用シートＳに表示される。また、看護師は、消去機能を使って、黒く表示した部分を白く表示させる（即ち、消去する）こともできる。この場合、先ず、看護師は、消去機能を使うための図示しない操作ボタン（ＧＵＩボタン）を電子ペン２１でタッチする。すると、携帯端末２の制御回路２２０は、消去機能状態で上記手書き入力処理を実行する。消去機能状態では、記録用シートＳに印加する電圧の方向が逆になる（本実施形態では、透明電極１１側がマイナス、白色フィルム１２側の特定領域がプラスとなる）。このような消去機能状態で、看護師が手書き文字等が表示された部分を電子ペン２１でなぞる動作を行うと、当該なぞられた部分の文字等は消去される。また、消去機能の一つとして、手書き入力された全ての情報を一括して消去できるようにしてもよい。
【００５２】
以上の手書き処理は、看護師により、他の動作モード（データ送信モード又はデータ受信モード）が選択されるまで、あるいは、記録用シートＳのセットが解除されるまで、繰り返し続行される。また、以上の手書き入力処理において、手書き入力に関して取得した電子ペン２１の全ての位置座標（消去された部分は除かれる）、即ち、手書き入力に係る電子ペン２１の軌跡情報は、画像メモリ２２５に保存される。
【００５３】
図１５は、携帯端末２がデータ送信モードで実行する際の処理（データ送信処理）の手順を示すフローチャートである。データ送信処理は、記録用シートＳが本体部２０にセットされた状態において、看護師が記録用シートＳに表示される図示しない所定の操作ボタンを電子ペン２１でタッチすることで開始される。先ず、制御回路２２０は、所定の電界パターンを作成し、電源回路２１０を制御して、図１１に示すような記録用シート番号入力画面を記録用シートＳに表示する（ステップＳ３０１）。
【００５４】
看護師により、記録用シート番号が入力されると（ステップＳ３０２でＹＥＳ）、制御回路２２０は、画像メモリ２２５に保存されている電子ペン２１の軌跡情報を用いて、当該記録用シートＳに表示されている手書き入力された情報についての画像データを作成する（ステップＳ３０３）。本実施形態では、問診結果等の経過状況についての画像データが作成される。制御回路２２０は、当該記録用シートＳの番号と、作成した画像データとを含む送信データをサーバ１に送信する（ステップＳ３０４）。
【００５５】
サーバ１は、携帯端末２から送信された記録用シートＳの番号を用いて、対応する患者の識別情報を特定する。そして、携帯端末２から送信された画像データの内容に基づいて、当該患者の医療情報（治療情報）を更新する（ステップＳ３０５）。また、看護記録情報を作成して、当該携帯端末２に送信する（ステップＳ３０６）。ここでの看護記録情報の内容は、先にステーション端末３に送信した（図１０のステップＳ１０６参照）看護記録情報の内容と同一である。
【００５６】
携帯端末２の制御回路２２０は、画像データの送信後、記録用シートＳに表示している記録用シート番号入力画面をクリア（消去）する（ステップＳ３０７）。そして、サーバ１からの看護記録情報を受信すると、かかる看護記録情報と、ステップＳ３０３で作成した画像データと、に基づいて、記録用シートＳに元の情報を再表示する（ステップＳ３０８）。元の情報を再表示後、携帯端末２の動作モードは、手書き入力モードに移行する。
【００５７】
図１６は、携帯端末２がデータ受信モードで実行する際の処理（データ受信処理）の手順を示すフローチャートである。データ受信処理は、記録用シートＳが本体部２０にセットされた状態において、看護師が記録用シートＳに表示される図示しない所定の操作ボタンを電子ペン２１でタッチすることで開始される。先ず、制御回路２２０は、業務情報を要求するコマンドデータをサーバ１に送信する（ステップＳ４０１）。業務情報とは、当該病院に勤務する看護師全般に共通した業務に関する情報であり、例えば、各病室の各ベッド毎に患者の氏名を示した表や看護師の勤務スケジュール表などが該当する。
【００５８】
サーバ１は、携帯端末２から送信された、業務情報を要求するコマンドデータを受信すると、記憶している業務情報を当該携帯端末２に送信する（ステップＳ４０２）。制御回路２２０は、サーバ１からの業務情報を受信すると、電源回路２１０を制御して、記録用シートＳに表示している現在の表示情報をクリア（消去）し（ステップＳ４０３）、受信した業務情報に基づいて、表示する画像データを作成する（ステップＳ４０４）。
【００５９】
そして、制御回路２２０は、作成した画像データに基づいて、電界パターンを作成し、電源回路２１０を制御して、作成した電界パターンに従った電圧を当該記録用シートＳに印加する。これにより、業務情報に係る画像が記録用シートＳに表示される（ステップＳ４０５）。この場合の表示例を図１７及び図１８に示す。図１７は、各病室の各ベッド毎に患者の氏名を示した表を示し、図１８は、勤務スケジュール表を示す。
【００６０】
しかる後、看護師により、図示しない所定の操作ボタン（ＧＵＩボタン）が電子ペン２１でタッチされる等して、業務情報表示の終了が指示されると（ステップＳ４０６でＹＥＳ）、制御回路２２０は、電源回路２１０を制御して、業務情報の表示をクリアし、図１１に示すような記録用シート番号入力画面を記録用シートＳに表示する。そして、看護師により、記録用シート番号が入力されると（ステップＳ４０７でＹＥＳ）、制御回路２２０は、当該記録用シート番号に対応する患者の看護記録情報を要求するコマンドデータをサーバ１に送信する（ステップＳ４０８）。
【００６１】
サーバ１は、携帯端末２から送信されたコマンドデータを受信すると、当該コマンドデータに含まれる記録用シート番号に対応する患者の識別情報を特定し、これをキーにして医療情報ＤＢを検索し、当該患者の医療情報を取得する（ステップＳ４０９）。そして、取得した医療情報から所定の情報を抽出し、看護記録情報を作成して、携帯端末２に送信する（ステップＳ４１０）。ここでの看護記録情報の内容は、先にステーション端末３に送信した（図１０のステップＳ１０６参照）看護記録情報の内容と同一である。
【００６２】
携帯端末２の制御回路２２０は、コマンドデータの送信後、記録用シートＳに表示している記録用シート番号入力画面をクリア（消去）する（ステップＳ４１１）。そして、サーバ１からの看護記録情報を受信すると、かかる看護記録情報と、画像メモリ２２５に保存されている電子ペン２１の軌跡情報と、を用いて、記録用シートＳに元の情報を再表示する（ステップＳ４１２）。元の情報を再表示後、携帯端末２の動作モードは、手書き入力モードに移行する。
【００６３】
以上説明したように、本実施形態に係る医療業務支援システムによれば、各患者の医療情報を電子化して管理できるため、医療業務の効率化が図れる。また、看護記録業務の際の記録簿（記録用シートＳ）として使用する電子ペーパは、折り曲げ可能である等、実際の紙のように扱え、携帯性に優れる。また、一旦情報が表示されると、電力の必要なしに、表示が維持されるため、記録用シートＳ単体を回覧等でき、利便性に優れる。また、繰り返し利用できるため、紙の消費低減にも貢献できる。
【００６４】
また、看護師は、携帯端末２により、手書き態様で情報を入力することができ、その結果が、記録用シートＳに表示されるため、看護師は、実際の紙（記録簿）に手書きする場合と同様の感覚で看護記録業務を行うことができる。したがって、従来の手書き記入に慣れている看護師であっても、本実施形態に係る医療業務支援システムを容易に運用することが可能となる。
【００６５】
尚、本発明は、上記実施形態に限定されるものではなく、本発明の要旨を逸脱しない範囲での種々の変更は勿論可能である。
【００６６】
例えば、上記実施形態では、ステーション端末３、携帯端末２は、サーバ１から情報を取得した際、かかる情報を画像データに変換する処理を行っているが、これに限らず、サーバ１が、画像データに変換し、これをステーション端末３、携帯端末２に送信する仕様にしてもよい。
【００６７】
また、生体情報測定装置５に依らず、巡回の際、看護師が患者のバイタルサインを測定し、その結果を手書き入力にて記録用シートＳに記入するようにしてもよい。
【００６８】
また、記録用シートＳに表示する問診欄のフォーマットを患者の病状（病名）で変化させるようにしてもよい。例えば、図１９は、「気管支炎」の患者に対する問診欄のフォーマット例を示し、図２０は、「心筋梗塞」の患者に対する問診欄のフォーマット例を示している。
【００６９】
また、業務情報の種類が複数ある場合、上記のデータ受信処理において、携帯端末２は、看護師が所望の業務情報を選択するためのメニュー画面を記録用シートＳに表示するようにしてもよい。あるいは、携帯端末２は、１回のコマンドデータの送信で、複数の業務情報をサーバ１から一括して受信し、画像メモリ２２５等に保存できるようにしてもよい。この場合、看護師は、所定の操作ボタン（ＧＵＩボタン）を電子ペン２１でタッチすることで、適宜、所望の業務情報を記録用シートＳに表示させ、閲覧することができる。
【００７０】
また、業務情報は、看護師全般に共通した情報のみならず、看護師毎に特化した情報であっても構わない。この場合、上記のデータ受信処理において、業務情報を要求するコマンドデータに当該看護師の識別情報（例えば、数桁の数値で示される）を格納して、サーバ１に送信する。そうすると、サーバ１は、看護師を特定することができ、その看護師に応じた業務情報を当該携帯端末２に送信することができる。看護師の識別情報は、データ受信処理の開始の際、制御回路２２０が、図１１に示すような記録用シート番号入力画面に類似した画面を記録用シートＳに表示し、看護師に自分の識別情報を入力させることで、取得できる。
【００７１】
また、上記実施形態では、記録用シートＳは、電子インク層１０を透明電極１１と白色フィルム１２とで挟み込んだ構成となっているが、他の実施形態では、電極を含まない構成も採用できる。この場合の記録用シートは、電子インク層を透明フィルムと白色フィルムとで挟み込んだ構成となっている。そして、携帯端末及びステーション端末のそれぞれの留部の可動片を、記録用シートの表示領域全体を覆うことのできる透明な電極シートあるいは透明な電極板で構成する。かかる構成にすれば、電極を持たない電子ペーパも記録用シートとして採用することができる。
【図面の簡単な説明】
【００７２】
【図１】本発明の一実施形態に係る医療業務支援システムの構成を示す図である。
【図２】記録用シートの構成を示す断面図である。
【図３】携帯端末の本体部の外観を示す図である。
【図４】本体部の内部構成を示す図である。
【図５】電子ペンの内部構成を示す図である。
【図６】本体部が備える制御回路の内部構成を示すブロック図である。
【図７】ステーション端末の外観を示す図である。
【図８】ステーション端末の内部構成を示す図である。
【図９】ステーション端末が備える制御回路の内部構成を示すブロック図である。
【図１０】ステーション端末の動作を説明するためのフローチャートである。
【図１１】記録用シート番号入力画面の一例を示す図である。
【図１２】記録用シートの表示例（巡回開始時）を示す図である。
【図１３】手書き入力処理の手順を示すフローチャートである。
【図１４】記録用シートの表示例（手書き入力時）を示す図である。
【図１５】データ送信処理の手順を示すフローチャートである。
【図１６】データ受信処理の手順を示すフローチャートである。
【図１７】記録用シートの表示例（業務情報その１）を示す図である。
【図１８】記録用シートの表示例（業務情報その２）を示す図である。
【図１９】記録用シートに表示する問診欄のフォーマットの他の例（パターン１）を示す図である。
【図２０】記録用シートに表示する問診欄のフォーマットの他の例（パターン２）を示す図である。
【符号の説明】
【００７３】
１      サーバ
２      携帯端末
３      ステーション端末
４      医師用端末
５      生体情報測定装置
１０    電子インク層
１１    透明電極
１２    白色フィルム
２０    本体部
２１    電子ペン
２３    ＩＣ
２４    共振回路
１００  マイクロカプセル
１０１  白色粒子
１０２  黒色粒子
２００、３００  留部
２０１  ジョイント部
２０２  可動片
２０３  つまみ部
２０４、３０１  マーク
２１０、３１０  電源回路
２２０、３２０  制御回路
２２１、３２１  ＣＰＵ
２２２          センサボード制御回路
２２３、３２２  シート制御回路
２２４          無線通信部
２２５、３２４  画像メモリ
２２６、３２５  ＲＯＭ
２３０、３３０  マトリクス電極部
２３１、３３１  要素電極
２４０    センサボード
３０２    カード挿入口
３２３    通信部
３２６    Ｉ／Ｆ部
１１０１  入力フィールド
１１０２  数値ボタン
ＡＰ      アクセスポイント
Ｃ        診察カード
Ｓ        記録用シート
【図１】
2010015211.tif 000003
【図２】
2010015211.tif 000004
【図３】
2010015211.tif 000005
【図４】
2010015211.tif 000006
【図５】
2010015211.tif 000007
【図６】
2010015211.tif 000008
【図７】
2010015211.tif 000009
【図８】
2010015211.tif 000010
【図９】
2010015211.tif 000011
【図１０】
2010015211.tif 000012
【図１１】
2010015211.tif 000013
【図１２】
2010015211.tif 000014
【図１３】
2010015211.tif 000015
【図１４】
2010015211.tif 000016
【図１５】
2010015211.tif 000017
【図１６】
2010015211.tif 000018
【図１７】
2010015211.tif 000019
【図１８】
2010015211.tif 000020
【図１９】
2010015211.tif 000021
【図２０】
2010015211.tif 000022